(57)【要約】【課題】髪ケア装置において、イオン発生部に対する視認性を向上させるとともに、イオン発生部の掃除のし易さを向上させる。【解決手段】イオンを発生するイオン発生部１０をケース３内に収容した髪ケア装置１において、イオン発生部１０を照明する照明部２１を設けた。これにより、イオン発生部１０に対する視認性を向上させるとともに、イオン発生部１０の掃除のし易さを向上させることができる。【選択図】図１
2010125146.tif 000002
【特許請求の範囲】
【請求項１】
イオンを発生するイオン発生部をケース内に収容した髪ケア装置において、
前記イオン発生部を照明する照明部を設けたことを特徴とする髪ケア装置。
【請求項２】
前記イオン発生部は、複数設けられ、
前記照明部は、前記複数のイオン発生部に対して等距離に配置されていることを特徴とする請求項１に記載の髪ケア装置。
【請求項３】
前記照明部は、光を発光する光源と、この光源の光を前記イオン発生部とは別の被照明対象に出射する導光部材とを有することを特徴とする請求項１又は２に記載の髪ケア装置。
【請求項４】
前記照明部は、光を発光する光源と、この光源の光を当該装置の外部へ出射する導光部材とを有することを特徴とする請求項１又は２に記載の髪ケア装置。
【請求項５】
空気を送出する送風口を備え、
前記導光部材は、前記送風口の空気の送出方向に前記光源の光を導出することを特徴とする請求項４に記載の髪ケア装置。
【請求項６】
前記照明部は、発光可能な色を複数有しており、前記複数の色のうち選択部によって選択された色を発光することを特徴とする請求項１ないし５のいずれか一項に記載の髪ケア装置。
【発明の詳細な説明】
【技術分野】
【０００１】
本発明は、髪ケア装置に関する。
【背景技術】
【０００２】
従来の髪ケア装置としてのヘアドライヤとして、イオン発生部を備えたものが知られている（特許文献１）。イオン発生部は、一対の電極間に高電圧を印加することでイオンを発生すようになっている。
【特許文献１】特開２００８−２９８１３号公報
【発明の開示】
【発明が解決しようとする課題】
【０００３】
高電圧が印加されるイオン発生部は、その高電圧による電気的影響によってダストが集まり易い環境となり、イオン発生部にはダストが付着し易い。イオン発生部に付着したダストは、綿棒や専用掃除棒などで掃除することが望ましいのであるが、イオン発生部はカバー内に配置されて暗い環境下にあるため、使用者がイオン発生部の状態を視認し難いという問題がある。また、イオン発生部を掃除する場合にも、イオン発生部がカバー内に配置されて暗い環境下にあるため掃除がし難いという問題がある。
【０００４】
そこで、本発明は、髪ケア装置において、イオン発生部に対する視認性を向上させるとともに、イオン発生部の掃除のし易さを向上させることを目的とする。
【課題を解決するための手段】
【０００５】
本発明の第１の態様は、イオンを発生するイオン発生部をケース内に収容した髪ケア装置において、前記イオン発生部を照明する照明部を設けたことを特徴とする。
【０００６】
本発明の第２の態様は、前記第１の態様の髪ケア装置において、前記イオン発生部は、複数設けられ、前記照明部は、前記複数のイオン発生部に対して等距離に配置されている
本発明の第３の態様は、前記第１又は第２の態様の髪ケア装置において、前記照明部は、光を発光する光源と、この光源の光を前記イオン発生部とは別の被照明対象に出射する導光部材とを有することを特徴とする。
【０００７】
本発明の第４の態様は、前記第１又は第２の態様の髪ケア装置において、前記照明部は、光を発光する光源と、この光源の光を当該装置の外部へ出射する導光部材とを有することを特徴とする。
【０００８】
本発明の第５の態様は、前記第４の態様の髪ケア装置において、空気を送出する送風口を備え、前記導光部材は、前記送風口の空気の送出方向に前記光源の光を導出することを特徴とする。
【０００９】
本発明の第６の態様は、前記第１ないし第５のいずれか一つの態様の髪ケア装置において、前記照明部は、発光可能な色を複数有しており、前記複数の色のうち選択部によって選択された色を発光することを特徴とする。
【発明の効果】
【００１０】
本発明の前記第１の態様によれば、照明部がイオン発生部を照明するので、イオン発生部に対する視認性を向上させるとともに、イオン発生部の掃除のし易さを向上させることができる。
【００１１】
本発明の前記第２の態様によれば、照明部が複数のイオン発生部に対して等距離に配置されていることにより、複数のイオン発生部を一つの照明部によって均等に照明することができるので、照明部の数の増加を抑制しつつ、複数のイオン発生部に対する視認むらが発生することを抑制することができる。
【００１２】
本発明の第３の態様によれば、導光部材が、光源の光をイオン発生部とは別の被照明対象に導くことにより、その別の被照明対象も照明部の光によって照明することができるので、その別の照明対象だけを照明する別の照明部を設ける構造に比べて、照明部の数を少なくすることができる。
【００１３】
本発明の第４の態様によれば、光源の光を導光部材が装置外へ導出することにより、この光を例えば人体の肌や毛髪に供給することができるので、光が有する様々な効果を人体の肌や毛髪に与えることができる。
【００１４】
本発明の第５の態様によれば、導光部材が、送風口の空気の送出方向に光源の光を導出することにより、送風口を頭髪に向けて当該髪ケア装置を使用することで、光源の光が導光部材によって頭髪に向けて照射されるので、頭髪に対する送風と光の照射とを同時に行うことができ、髪ケア装置の使い勝手が向上する。
【００１５】
本発明の第６の態様によれば、選択部によって、照明部の発光色を選択することができる。よって、前記第４又は第５の態様の導光部材が設けられている場合、使用者は、所望する光の効果を奏する色を選択部によって選択してその色の光を自身に照射することができる。
【発明を実施するための最良の形態】
【００１６】
以下、本発明の好適な実施形態について図面を参照しながら説明する。なお、以下の複数の実施形態ならびに変形例には同様の構成要素が含まれている。よって、以下では、それら同様の構成要素に共通の符号を付与するとともに、重複する説明を省略する。
【００１７】
（第１実施形態）図１は、本実施形態にかかる髪ケア装置としてのヘアドライヤの断面図、図２は、ヘアドライヤを送風口側から見た正面図、図３は、ヘアドライヤの本体部内で金属微粒子生成部とミスト生成部が設けられる部分を拡大して示す平面図である。
【００１８】
本実施形態にかかる髪ケア装置としてのヘアドライヤ１は、使用者が手で握る部分としての把持部１ａと、把持部１ａと交差する方向に結合された本体部１ｂとを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００１９】
ヘアドライヤ１の外壁をなすケース３は、複数の分割体を継ぎ合わせて構成されている。ケース３の内部には空洞が形成されており、この空洞内に、各種電気部品が収容されている。
【００２０】
本体部１ｂの内部には、その長手方向（図１の左右方向）の一方側（右側）の入口開口４ａから、送風口４ｂに至る風洞４が形成されており、この風洞４内に収容されたファン５を回転させることによって空気流Ｗが形成される。すなわち、空気（空気流Ｗ）は、外部から入口開口４ａを介して風洞４内に流入し、当該風洞４内を通って送風口４ｂから外部に送出される。
【００２１】
また、本体部１ｂにおいて、ケース３の外筒３ａの内部には、略円筒状の内筒６が設けられており、空気流Ｗはこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ヒータ８を作動させたときには、送風口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００２２】
そして、本体部１ｂ内で、ケース３と内筒６との間に形成された空洞９に、金属微粒子生成部１０や、ミスト生成部１１、ミスト生成部１１に電圧を印加する第一の電圧印加回路１２等が収容されている。即ち、ケース３内に金属微粒子生成部１０およびミスト生成部１１が収容されている。また、把持部１ａの根元部１ｃ内の空洞１３には、金属微粒子生成部１０に電圧を印加する第二の電圧印加回路１４や、動作モードの切り換え等を行うスイッチ部１５が収容されている。さらに、把持部１ａの先端部１ｄ内の空洞には、電源のＯＮとＯＦＦとの切り換えや動作モードの切り換え等を行う別のスイッチ部１６が収容されている。これら電気部品同士は、金属導体等からなる芯線を絶縁性樹脂等で被覆したリード線１７によって接続されている。なお、スイッチ部１５，１６は、ケース３の表面に露出した操作子１８，１９を操作することで、内部接点の開閉状態を切り換えることができるように構成されている。
【００２３】
第一の電圧印加回路１２および第二の電圧印加回路１４は、図１に示すように、把持部１ａ内、または本体部１ｂ内で把持部１ａの延長線上となる領域に配置するのが好適である。使用者が把持部１ａを持ったときに、第一の電圧印加回路１２および第二の電圧印加回路１４に作用する重力による回転モーメント（のモーメントアーム）を小さくして、使用者の手に作用する負荷を小さくするためである。
【００２４】
また、図１に示すように、本実施形態では、これら第一の電圧印加回路１２および第二の電圧印加回路１４を、内筒６を挟んで相互に反対側となる位置に配置している。すなわち、第一の電圧印加回路１２と第二の電圧印加回路１４との間に内筒６を介在させることで、第一の電圧印加回路１２と第二の電圧印加回路１４との相互干渉による電圧の低下や不安定化等の不具合を抑制している。
【００２５】
内筒６は、筒状部６ａと、筒状部６ａから径方向外側に向けて伸びて周方向に分散して配置された複数の支持リブ６ｂ（図１では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗの一部が分岐されて流入し、分岐流Ｗｐが形成されている。なお、分岐流Ｗｐの空洞９内への導入口となる間隙ｇ１は、ファン５の下流でありかつヒータ８の上流側となる位置に設けられている。したがって、分岐流Ｗｐは、ヒータ８によって加熱される前の、比較的冷たい空気流となる。
【００２６】
また、図３に示すように、金属微粒子生成部１０に繋がるリード線１７ａと、ミスト生成部１１に繋がるリード線１７ｂとは、相互に交叉させることなく極力離間させて配索するのが好適である。リード線１７ａ，１７ｂを流れる電流の相互干渉によって、金属微粒子生成部１０あるいはミスト生成部１１で所望の電圧が得られなくなったり、電圧が不安定になったりするのを抑制するためである。本実施形態では、金属微粒子生成部１０をミスト生成部１１に対して内筒６の周方向一方側（図３では上側）に離間して配置するとともに、リード線１７ａを内筒６と外筒３ａとの間で金属微粒子生成部１０に対して内筒６の周方向一方側となる領域に配索し、かつ、リード線１７ｂを内筒６と外筒３ａとの間でミスト生成部１１に対して内筒６の周方向他方側（図３では下側）となる領域に配索している。
【００２７】
ケース３には、図２に示すように、空洞９の送風口４ｂ側となる位置に、楕円形の貫通孔３ｂが形成されており、この貫通孔３ｂを絶縁性の合成樹脂材料からなるカバー２０で塞いである。カバー２０には、排出口としての金属微粒子排出口２０ａと同じく排出口としてのミスト排出口２０ｂとが形成されている。カバー２０は、金属微粒子あるいはミストによる帯電を抑制するため、ケース３よりも導電性を低くするのが好適である。カバー２０が帯電すると、その電荷によって、金属微粒子生成部１０やミスト生成部１１から電荷を帯びた金属微粒子やミストが放出されにくくなるからである。なお、この部分では、カバー２０がヘアドライヤ１の外壁を成している。
【００２８】
金属微粒子生成部１０は、導電性を有する金属材料によって形成される放電極１０ａおよびグラウンド電極１０ｂを有しており、これら放電極１０ａとグラウンド電極１０ｂとの間に第二の電圧印加回路１４によって高電圧を印加して放電（コロナ放電等）を生じさせ、その放電作用によって放電極１０ａやグラウンド電極１０ｂ等から金属微粒子（金属の分子やイオン等）を放出させるものである。金属微粒子生成部１０で生成された金属微粒子（金属の分子やイオン等）は、金属微粒子排出口２０ａから装置１の外部へ放出される。
【００２９】
この金属微粒子生成部１０は、箱状の筐体１０ｃを備えており、放電極１０ａは、筐体１０ｃ内で、当該筐体１０ｃに固定された基台部（例えばプリント基板等、図示せず）に、例えばはんだ付けやかしめ等によって固定されている。
【００３０】
放電極１０ａは、極細の線材として構成することができ、その幅（直径）を、１０〜４００［μｍ］（好適には３０〜３００［μｍ］、より一層好適には５０〜２００［μｍ］）に設定することができる。その場合、断面形状としては、円形、楕円形、多角形形状等、各種採用することができる。なお、放電極１０ａは、尖端を有する針状に形成してもよい。
【００３１】
グラウンド電極１０ｂは、例えば、放電極１０ａの先端側に離間させて当該放電極１０ａの延伸方向と略直交して配置される環状かつ板状の部材として設けることができる。
【００３２】
また、放電極１０ａは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部１０で生成され放出された金属の微粒子に、金や、銀、銅、亜鉛等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。なお、金属微粒子の放出をさせない部分（例えばグラウンド電極１０ｂ等）は、ステンレススチールや、タングステン等を用いて構成することができる。
【００３３】
また、金属微粒子生成部１０は、放電作用によってイオン（例えばマイナスイオン、例えばＮＯ２−、ＮＯ３−等）を生じさせ、このイオンを、放電極１０ａや、グラウンド電極１０ｂ、他の金属材料や金属成分を含む部材等に衝突させることで、金属微粒子を生成するものであってもよい。すなわち、グラウンド電極１０ｂや上記他の部材を、上記遷移金属を含む材料によって構成し、これらから金属微粒子を放出させるようにしてもよい。
【００３４】
ミスト生成部１１は、導電性を有する金属材料によって形成される放電極１１ａおよびグラウンド電極１１ｂを有しており、これら放電極１１ａとグラウンド電極１１ｂとの間に第一の電圧印加回路１２によって高電圧を印加することで放電（コロナ放電等）を生じさせるものである。具体的には、例えば、放電極１１ａは針状に形成し、グラウンド電極１１ｂは放電極１１ａの先端側に離間配置した環状かつ板状の部材として形成することができる。また、ミスト生成部１１は、冷却機構としてのペルチェ素子（図示せず）および熱伝導性を有する部材（例えば金属部材等）からなる冷却板１１ｃとを含んでおり、ペルチェ素子によって冷却された冷却板１１ｃの表面に空気中の水分を結露させ、結露水を生じるようになっている。かかる構成では、供給された水、すなわち結露水が、放電作用によって微粒化され、ナノメータサイズの非常に細かいミスト（マイナスイオンを含むマイナスに帯電されたミスト）が生成される。このミスト生成部１１で生成されたミストは、ミスト排出口２０ｂから装置１の外部へ放出される。本実施形態では、ペルチェ素子および冷却板１１ｃが水供給部に相当する。
【００３５】
本実施形態では、金属微粒子生成部１０およびミスト生成部１１ともに、イオンを発生するイオン発生部に相当するものである。なお、ミスト生成部としては、水を加熱してスチームを発生させるスチーム発生機構を搭載してもよいし、金属微粒子生成部としては、金属の溶液を霧化して金属微粒子を生成する金属溶液霧化機構を搭載してもよい。
【００３６】
また、本実施形態では、図２に示すように、金属微粒子排出口２０ａを、ミスト排出口２０ｂより小さく形成してある。すなわち、ミスト排出口２０ｂを介してのミスト生成部１１のメンテナンスや状態の確認等をより容易に行わせるとともに、金属微粒子排出口２０ａを介しての手指や、異物等の誤進入を抑制してある。
【００３７】
さらに、本実施形態にかかるヘアドライヤ１は、図１ないし図３に示すように、イオン発生部である金属微粒子生成部１０およびミスト生成部１１を照明する照明部２１を備えている。
【００３８】
照明部２１は、並設された金属微粒子生成部１０およびミスト生成部１１の中間に配置されて、金属微粒子生成部１０およびミスト生成部１１に対して等距離に配置されている。別の言い方をすると、照明部２１は、金属微粒子生成部１０およびミスト生成部１１の中間位置に位置する仮想中立面上に位置している。この照明部２１は、金属微粒子生成部１０およびミスト生成部１１を同時に照明するようにようになっている。照明部２１は、金属微粒子生成部１０の放電極１０ａおよびグラウンド電極１０ｂと、ミスト生成部１１の放電極１１ａおよびグラウンド電極１１ｂとの近傍に位置しており、それらの各電極を特に明るく照明するようになっている。また、この照明部２１は、金属微粒子生成部１０およびミスト生成部１１とともに、それら金属微粒子生成部１０およびミスト生成部１１の周囲も照明するようになっている。
【００３９】
具体的には、照明部２１は、空洞９内に配置され光を発光する光源２１ａと、透過性を有し光源２１ａの光を導光する導光部材２１ｂと、を有している。導光部材２１ｂは、例えば、ポリカーボネートやアクリル等の合成樹脂材料やガラス等によって板状に形成されている。図２に示すように、カバー２０の、金属微粒子排出口２０ａとミスト排出口２０ｂとの間には、縦長の長円状の孔２０ｃが形成されており、導光部材２１ｂの光源２１ａと反対側の出射端部２１ｃが、この孔２０ｃに嵌挿されて、カバー２０の外に露出している。したがって、光源２１ａの光は導光部材２１ｂによって導光され、出射端部２１ｃからカバー２０の外に出射される。このとき、導光部材２１ｂは、送風口４ｂの空気の送出方向に光源２１ａの光を出射する。即ち、導光部材２１ｂは、光源２１ａの光を当該装置１の外部へ出射するようになっている。別の言い方をすると、導光部材２１ｂは、金属微粒子生成部１０およびミスト生成部１１とは別の被照明対象として当該装置１の外部空間に光源２１ａの光を出射するようになっている。かかる構成では、ヘアドライヤ１の使用時には、出射端部２１ｃが使用者の頭部に対向して配置されることになる。
【００４０】
光源２１ａは、発光可能な色を複数有しており、複数の色のうち選択部としてのスイッチ部２３（図２）によって選択された色を発光するようになっている。具体的には、光源２１ａは、複数のＬＥＤ（発光ダイオード）を有しており、発光させるＬＥＤの組み合わせに応じて種々の色を選択的に照射することができるようになっている。例えば、複数のＬＥＤとしては、色の三原色（赤、緑、青）のうちの赤色を発光する赤色ＬＥＤ、緑色を発光する緑色ＬＥＤ、青色を発光する青色ＬＥＤである。この場合、光源２１ａは、赤色ＬＥＤだけを発光させることで赤色を発光し、緑色ＬＥＤだけを発光させることで緑色を発光し、青色ＬＥＤだけを発光させることで青色を発光する。また、赤色ＬＥＤ、緑色ＬＥＤ、青色ＬＥＤから出射された光の混合によって任意の色を発光させることができる。
【００４１】
スイッチ部２１は、図２に示すように、本体部１ｂにおいて把持部１ａに近接する位置に設けられている。スイッチ部２３は、照明部２１を制御する回路を有するとともに、リード線によって照明部２１に接続されている。このスイッチ部２３は、使用者による操作が可能にケース３の表面に露出した操作子２３ａを有しており、操作子２３ａを操作することことで内部接点の開閉状態を切り換えることができるように構成されている。スイッチ部２３は、操作子２３ａの位置に応じて、光源２１ａの点灯と消灯との切り替えおよび発光色の切り替えを行う。
【００４２】
ここで、照明部２１からの光によって、人体に所定の効果を与えることが可能である。例えば、光源２１ａとして波長４１５［ｎｍ］の高輝度ＬＥＤを用いた場合には、当該光源２１ａから出射される青色光により、細菌の破壊による殺菌効果や、毛孔の縮小や皮脂の分泌低下等によるざ瘡（にきび）の予防効果などが得られることが確認されている。また、光源２１ａとして波長６３０［ｎｍ］程度の高輝度ＬＥＤを用いた場合には、当該光源２１ａから出射される赤色光により、血行促進、血管新生による新陳代謝の活性、コラーゲンやエラスチンの生成を促進するなどの効果が得られることが確認されている。さらに、赤色光の照射回数を重ねた場合には、小じわ、しみ、くすみ、開大毛孔などの光老化皮膚やざ瘡後の瘢痕の改善に有効であることが確認されている。なお、これらの効果は、人によって異なるものとなる。
【００４３】
この照明部２１は、ヘアドライヤ１の動作モードの表示手段として利用することができる。例えば、ヒータ８を使用していて温風が吹き出されている状態では赤色、ヒータ８を使用せず冷風が吹き出されている状態では緑色、金属微粒子生成部１０が稼動していて金属微粒子が放出されている状態では黄色、ミスト生成部１１が稼動していてミストが放出されている状態では青色、など、動作状態に応じて色を変化させるようにすることができる。この場合、例えば第一の電圧印加回路１２等と同じ基板上に実装された制御回路（図示せず）が各部の動作状態に応じて光源２１ａの発光を制御することができる。なお、制御回路によって光源２１ａを点滅させたり、その点滅間隔を制御したり、発光強度を変化させたりすることも可能であり、これら発光形態を、種々の動作モードに対応づけて設定することも可能である。
【００４４】
また、ヘアドライヤ１は、図１および図２に示すように、第二照明部２４を備えている。第二照明部２４は、送風口４ｂを縦断するように送風口４ｂに配置されており、光をヘアドライヤ１の手前の前方へ向けて照射するようになっている。したがって、使用者の頭部に対してヘアドライヤ１が使用された時には、第二照明部２４は、使用者の頭部に向けて光を照射する。この第二照明部２４の光源は、例えばＬＥＤなどである。
【００４５】
上述したように、本実施形態にかかる髪ケア装置としてのヘアドライヤ１は、金属微粒子生成部１０およびミスト生成部１１を同じ空洞９内に収容しているのであるが、ミスト生成部１１で生じたミストが金属微粒子生成部１０に到達すると、金属微粒子生成部１０が帯電して電圧や電界が変化して金属微粒子の生成が不安定化したり、金属微粒子生成部１０の金属部分が水分によって腐食したりする虞がある。
【００４６】
そこで、本実施形態では、金属微粒子生成部１０を、ミスト生成部１１で生成されたミストが通過するミスト通過領域Ａｍｉから外して配置してある。具体的には、図３に示すように、金属微粒子生成部１０を、ミスト生成部１１に対して、ミスト通過領域Ａｍｉでミストが通過する方向Ｄｐと略直交する方向Ｄｎに、離間して配置してある。ミストは、ミスト生成部１１から方向Ｄｐに向けて流出するため、ミスト生成部１１に対して当該方向Ｄｐと直交する方向Ｄｎに配置される金属微粒子生成部１０には到達し難くなる。したがって、かかる構成により、金属微粒子生成部１０は、ミスト生成部１１から流出したミストによる影響を受け難くなる。
【００４７】
また、本実施形態では、空洞９内では、金属微粒子生成部１０を、金属微粒子排出口２０ａに比較的近い位置で、当該金属微粒子排出口２０ａに対向させて配置し、ミスト生成部１１を、ミスト排出口２０ｂに比較的近い位置で、当該ミスト排出口２０ｂに対向させて配置している。さらに、ミスト生成部１１とカバー２０との距離Ｄ１を、ミスト生成部１１と金属微粒子生成部１０との距離Ｄ２より短くしてある。さらに、空洞９内では、間隙ｇ１から流入した分岐流Ｗｐは、金属微粒子排出口２０ａおよびミスト排出口２０ｂから外部に排出される。
【００４８】
したがって、本実施形態では、金属微粒子生成部１０で生成された金属微粒子は、比較的スムーズに金属微粒子排出口２０ａから排出されるとともに、ミスト生成部１１で生成されたミストは、比較的スムーズにミスト排出口２０ｂから排出される。すなわち、金属微粒子生成部１０で生成された金属微粒子はミスト生成部１１側には流れにくく、かつミスト生成部１１で生成されたミストは金属微粒子生成部１０側には流れにくい構成となっている。なお、分岐流Ｗｐは、金属微粒子およびミストの排出に貢献しているが、分岐流Ｗｐが無い場合でも、金属微粒子およびミストは対応する排出口２０ａ，２０ｂから排出される。
【００４９】
さらに、本実施形態では、空洞９内に遮蔽壁を設けることで、ミストが金属微粒子生成部１０に到達するのをより一層確実に抑制している。本実施形態では、導光部材２１ｂと、金属微粒子生成部１０を内筒６に取り付ける取付部材６ｄとを、遮蔽壁として利用している。
【００５０】
導光部材２１ｂは、板状に形成され、その厚み方向が内筒６の周方向に沿う姿勢で、金属微粒子生成部１０の放出端部側（図３の左側）とミスト生成部１１の放出端部側との間に配置されており、空洞９内で、金属微粒子通過領域（すなわち金属微粒子生成部１０に対して図３の左側の領域）Ａｍｅ側と、ミスト通過領域（すなわちミスト生成部１１に対して図３の左側の領域）Ａｍｉ側とを区画する遮蔽壁となっている。
【００５１】
取付部材６ｄは、内筒６の筒状部６ａから径外方向に向けて突設されており、金属微粒子生成部１０を内筒６に取り付ける部材である。そして、金属微粒子生成部１０側から金属微粒子排出口２０ａ側に向けて延びる遮蔽壁部６ｅを有している。この遮蔽壁部６ｅは、取付部材６ｄに設けられているため必然的に金属微粒子生成部１０に近接して配置されることとなり、比較的小さな構成でミストが金属微粒子生成部１０側に到達するのを効率よく抑制することができる。
【００５２】
また、取付部材６ｄの遮蔽壁部６ｅとカバー２０との間には間隙ｇ２を設け、カバー２０に滞留した電荷が遮蔽壁部６ｅを介して金属微粒子生成部１０側へ到来して金属微粒子生成部１０における金属微粒子の生成を阻害するのを抑制してある。なお、間隙ｇ２を設けるのに替えて、取付部材６ｄとカバー２０との間に導電性の低いあるいは絶縁性の部材を介在させてもよい。
【００５３】
そして、遮蔽壁として機能するこれら導光部材２１ｂおよび取付部材６ｄは、図３に示すように、空洞９内で並列にミストが通過する方向Ｄｐと略平行に配置されて、二重の遮蔽壁となっており、ミストが金属微粒子生成部１０に到達するのをより一層効果的に抑制してある。
【００５４】
以上、説明したように、本実施形態では、照明部２１が金属微粒子生成部１０およびミスト生成部１１を照明する。したがって、金属微粒子生成部１０およびミスト生成部１１に対するの視認性を向上させることができ、金属微粒子生成部１０およびミスト生成部１１に対するダストの付着状況を容易に視認することができる。よって、使用者は、金属微粒子生成部１０およびミスト生成部１１の掃除の要否を容易に判断することができる。また、このように照明部２１の照明によって金属微粒子生成部１０およびミスト生成部１１に対するの視認性が向上するので、金属微粒子生成部１０およびミスト生成部１１の掃除のし易さを向上させることができる。ここで、金属微粒子生成部１０およびミスト生成部１１に付着したダストは、例えば綿棒や専用掃除棒などの掃除具で掃除することができる。掃除具は、例えば、金属微粒子排出口２０ａやミスト排出口２０ｂに挿入されるのであるが、掃除用の別の開口（図示せず）をケース３に設けて、この開口から掃除具によって金属微粒子生成部１０およびミスト生成部１１を掃除可能としても良い。
【００５５】
また、本実施形態では、照明部２１が、複数（具体的には２つ）のイオン発生部としての金属微粒子生成部１０およびミスト生成部１１に対して等距離に配置されていることにより、金属微粒子生成部１０およびミスト生成部１１を一つの照明部２１によって均等に照明することができるので、照明部２１の数の増加を抑制しつつ、金属微粒子生成部１０およびミスト生成部１１に対する視認むらが発生することを抑制することができる。
【００５６】
また、本実施形態では、導光部材２１ｂが、光源２１ａの光を金属微粒子生成部１０およびミスト生成部１１とは別の被照明対象（装置１の外部空間）に導くことにより、その別の被照明対象も照明部２１の光によって照明することができるので、その別の照明対象だけを照明する別の照明部を設ける構造に比べて、照明部２１の数を少なくすることができる。このように、金属微粒子生成部１０およびミスト生成部１１とは別の被照明対象を照明部２１の光源２１ａによって照明する手段として、導光部材２１ｂを用いたので、導光部材２１ｂを用いずに光源２１ａでその別の被照明対象を直接照明する構造に比べて、光源２１ａの配置の自由度が増大する。また、ＬＥＤが発する光は、直線性が強いのであるが、このように導光部材２１ｂを用いることで、所望の被照明対象に光源２１ａの光を容易に導くことができる。なお、導光部材２１ｂによって、金属微粒子生成部１０およびミスト生成部１１以外の装置１の構成部材を照明しても良い。
【００５７】
また、本実施形態では、光源２１ａの光を導光部材２２ｂが装置１外へ導出することにより、この光を例えば人体の肌や毛髪に供給することができるので、光が有する様々な効果を人体の肌や毛髪に与えることができる。
【００５８】
また、本実施形態では、導光部材２１ｂが、送風口４ｂの空気の送出方向に光源２１ａの光を導出することにより、送風口４ｂを頭髪に向けて当該髪ケア装置１を使用することで、光源２１ａの光が導光部材２１ｂによって頭髪に向けて照射されるので、頭髪に対する送風と光の照射とを同時に行うことができ、髪ケア装置１の使い勝手が向上する。
【００５９】
また、本実施形態では、スイッチ部２３によって、照明部２１の発光色を選択することができる。よって、使用者は、所望する光の効果を奏する色をスイッチ部２３によって選択してその色の光を自身に照射することができる。
【００６０】
（照明部の変形例）図４は、上記第１実施形態の変形例にかかる髪ケア装置としてのヘアドライヤの断面図を示すものである。本変形例の照明部２１では、導光部材２１ｂが、出射端部２１ｃに加えて第二出射端部２１ｄを有している。導光部材２１ｂは、光源２１ａからケース３の外筒３ａの上面部に至る形状に形成されており、外筒３ａに形成された孔３ｄに第二出射端部２１ｄが嵌挿されてケース３の外に露出している。したがって、光源２１ａの光は導光部材２１ｂによって導光され、出射端部２１ｃからカバー２０の外に出射されるとともに、第二出射端部２１ｄからケース３の外に出射される。即ち、導光部材２１ｂは、第二出射端部２１ｄによって、光源２１ａの光をイオン発生部である金属微粒子生成部１０やミスト生成部１１のとは別の被照明対象として装置１の外部空間へ出射する。
【００６１】
（第２実施形態）図５は、本発明の第２実施形態にかかる髪ケア装置としてのヘアブラシの断面図である。
【００６２】
本実施形態にかかる髪ケア装置としてのヘアブラシ１Ａは、棒状に形成されており、使用者が把持部１ｆを持って本体部１ｇに設けられたブラシ部２５を髪に当てて整髪する（髪を梳かす）ものである。把持部１ｆと本体部１ｇとは回動連結部１ｈによって回動可能に連結されており、把持部１ｆは、本体部１ｇに沿う位置まで折り畳むことができるようになっている。ブラシ部２５には、複数のブリッスル２５ａが突設されている。
【００６３】
外壁をなすケース３Ａは、複数の分割体を継ぎ合わせて構成されており、その内部には空洞が形成され、この空洞内に、各種電気部品が収容されている。
【００６４】
また、把持部１ｆのブラシ部２５に近い部分のケース３には空洞９Ａが形成されており、この空洞９Ａ内に、ミスト生成部１１と金属微粒子生成部１０（図５では図示せず）とが収容されている。ケース３Ａには、ブリッスル２５ａに向けて開放された排出口３ｅが形成され、金属微粒子生成部１０で生成された金属微粒子ならびにミスト生成部１１で生成されたミストは、この排出口３ｅから外部に放出され、髪や地肌に作用することになる。なお、金属微粒子生成部１０およびミスト生成部１１には、回路部２６から電圧が印加される。
【００６５】
また、ヘアブラシ１Ａには、第１の実施形態と同様に、照明部２１が設けられており、照明部２１の光源２１ａが空洞９Ａ内に配置されている。この照明部２１は、第１の実施形態と同様に、金属微粒子生成部１０とミスト生成部１１とを照明する。照明部２１は、金属微粒子生成部１０の放電極１０ａおよびグラウンド電極１０ｂと、ミスト生成部１１の放電極１１ａおよびグラウンド電極１１ｂとの近傍に位置しており、それらの各電極を特に明るく照明するようになっている。また導光部材２１ｂＡは、排出口３ｅに嵌挿されている。導光部材２１ｂＡには貫通孔２１ｅが形成されており、金属微粒子生成部１０で生成された金属微粒子ならびにミスト生成部１１で生成されたミストは、排出口３ｅにおいて導光部材２１ｂＡの貫通孔２１ｅを通って外部に放出される。
【００６６】
したがって、本実施形態によっても、照明部２１が金属微粒子生成部１０およびミスト生成部１１を照明するので、金属微粒子生成部１０およびミスト生成部１１に対する視認性を向上させるとともに、金属微粒子生成部１０およびミスト生成部１１の掃除のし易さを向上させることができる。
【００６７】
（第３実施形態）図６は、本発明の第３実施形態にかかる髪ケア装置としてのヘアアイロンの側面図である。
【００６８】
図６に示すように、本実施形態にかかる髪ケア装置としてのヘアアイロン１Ｂは、回動連結部１ｋを介して略Ｖ字状に拡開可能な二つのアーム部１ｉ，１ｊを備えており、それらアーム部１ｉ，１ｊの先端側の挟持部２７に髪を挟み込んで加熱部２８で加熱して整髪するものである。
【００６９】
外壁をなすケース３Ｂの内部には空洞が形成され、この空洞内に、各種電気部品が収容されている。
【００７０】
アーム部１ｉのケース３Ｂの、挟持部２７に対して回動連結部１ｋ側に隣接する部分には、空洞９Ｆが形成されており、この空洞９Ｆ内に、ミスト生成部１１と金属微粒子生成部１０（図６では図示せず）とが収容されている。ケース３Ｂには、排出口３ｅが形成され、金属微粒子生成部１０で生成された金属微粒子ならびにミスト生成部１１で生成されたミストは、この排出口３ｅから外部に放出され、髪や地肌に作用することになる。なお、金属微粒子生成部１０およびミスト生成部１１には、回路部２９から電圧が印加される。
【００７１】
また、ヘアアイロン１Ｂには、第１の実施形態と同様に、照明部２１が設けられており、照明部２１の光源２１ａが空洞９Ｂ内に配置されている。この照明部２１は、第１の実施形態と同様に、金属微粒子生成部１０とミスト生成部１１とを照明する。照明部２１は、金属微粒子生成部１０の放電極１０ａおよびグラウンド電極１０ｂと、ミスト生成部１１の放電極１１ａおよびグラウンド電極１１ｂとの近傍に位置しており、それらの各電極を特に明るく照明するようになっている。また導光部材２１ｂＢは、排出口３ｅに嵌挿されている。導光部材２１ｂＢには貫通孔２１ｅが形成されており、金属微粒子生成部１０で生成された金属微粒子ならびにミスト生成部１１で生成されたミストは、排出口３ｅにおいて導光部材２１ｂＢの貫通孔２１ｅを通って外部に放出される。
【００７２】
したがって、本実施形態によっても、照明部２１が金属微粒子生成部１０およびミスト生成部１１を照明するので、金属微粒子生成部１０およびミスト生成部１１に対する視認性を向上させるとともに、金属微粒子生成部１０およびミスト生成部１１の掃除のし易さを向上させることができる。
【００７３】
以上、本発明の好適な実施形態について説明したが、本発明は上記実施形態には限定されず、種々の変形が可能である。例えば、イオン発生部である金属微粒子生成部およびミスト生成部は、上記各実施形態および変形例と左右逆転して配置することができる。また、イオン発生部は、２つに限ることなく、一つであってもよいし３つ以上であっても良い。また、イオン発生部の種類としては、金属微粒子生成部だけであっても良いしミスト生成部だけであっても良い。また、ミスト生成部の取付部材に遮蔽壁部を一体化させてもよい。また、排出口をケースと別体のカバーに設けることは必須ではなく、排出口をケースに設けてもよい。さらに、外壁と遮蔽壁との間に間隙を形成するのに替えて、それらの間に絶縁部材を介在させてもよい。また、照明部の光源はＬＥＤに限ることなく、例えば電球などであっても良い。また、照明部は、１つに限ることなく複数設けても良い。
【図面の簡単な説明】
【００７４】
【図１】本発明の第１実施形態にかかる髪ケア装置としてのヘアドライヤの断面図である。
【図２】本発明の第１実施形態にかかる髪ケア装置としてのヘアドライヤを送風口側から見た正面図である。
【図３】本発明の第１実施形態にかかる髪ケア装置としてのヘアドライヤの本体部内で金属微粒子生成部とミスト生成部が設けられる部分を拡大して示す平面図である。
【図４】本発明の第１実施形態の第一の変形例にかかる髪ケア装置としてのヘアドライヤの断面図である。
【図５】本発明の第２実施形態にかかる髪ケア装置としてのヘアブラシの断面図である。
【図６】本発明の第３実施形態にかかる髪ケア装置としてのヘアアイロンの側面図である。
【符号の説明】
【００７５】
１  ヘアドライヤ（髪ケア装置）
１Ａ  ヘアブラシ（髪ケア装置）
１Ｂ  ヘアアイロン（髪ケア装置）
３，３Ａ，３Ｂ  ケース
４ｂ  送風口
１０  金属微粒子生成部（イオン発生部）
１１  ミスト生成部（イオン発生部）
２１  照明部
２１ａ  光源
２１ｂ，２１ｂＡ，２１ｂＢ  導光部材
２３  スイッチ部（選択部）
【図１】
2010125146.tif 000003
【図２】
2010125146.tif 000004
【図３】
2010125146.tif 000005
【図４】
2010125146.tif 000006
【図５】
2010125146.tif 000007
【図６】
2010125146.tif 000008